(57)【特許請求の範囲】
【請求項１】
複数の同軸電線と、フィルム状のベースに銅箔をプリントしたフレキシブルプリントケーブルと、このフレキシブルプリントケーブル及び上記同軸電線を覆うシールド編組線と、最外層に絶縁と保護のためのシースとを備え、
前記複数の同軸電線とフレキシブルプリントケーブルとの相対的な位置関係を維持した複合ケーブルで構成されたことを特徴とする信号ケーブル。
【請求項２】
前記同軸電線を三つ備えると共に前記フレキシブルプリントケーブルを三つ備え、
長手方向に交差する断面において、前記三つの同軸電線がΔ状に結ばれる位置に配置されると共に、この各辺に前記フレキシブルプリントケーブルが一つずつ配置されていることを特徴とする請求項１に記載の信号ケーブル。
【請求項３】
上記フレキシブルプリントケーブルの導体部を挟み込んでハンダ接合する溝が形成されたコンタクトと、このコンタクトを固定するインシュレータと、このインシュレータを覆うシェルとを有するプラグを前記長手方向の端部に備えることを特徴とする請求項１又は２記載の信号ケーブル。
【発明の詳細な説明】
【０００１】
【発明の属する技術分野】
本発明は、信号ケーブルに係り、特に、情報処理装置と表示装置を接続する信号ケーブルに関する。
【０００２】
【従来の技術】
従来の信号ケーブルは、図４及び図５に示すように、ビデオ信号を電送するスズメッキ軟銅線の導体１０２ａ，架橋発泡ポリエチレンの絶縁体１０２ｂ，静電シールドを行う横巻シールド線１０２ｃ，ビニルのシース１０２ｄからなる同軸電線１０２、水平同期信号や垂直同期信号などビデオ信号以外の信号を電送するスズメッキ軟銅線の導体１０３ａ，架橋ビニルの絶縁体１０３ｂからなるビニル電線１０３、同軸電線１０２とビニル電線１０３を静電シールドするスズメッキ軟銅線のシールド編組線１０４及び、最外層に絶縁保護のための耐熱ビニルのシース１０５からなる複合ケーブル１０１と、銅合金のコンタクト１０７をＰＢＴ材のインシュレータ１０８で固定して軟銅のシェル１０９で覆われたプラグ１０６とで構成される。
【０００３】
また、同軸電線１０２の導体１０２ａ及びビニル電線１０３の導体１０３ａとプラグ１０６のコンタクト１０７とは、ハンダ接合またはカシメ勘合され、複合ケーブル１０１によって水平同期信号や垂直同期信号などビデオ信号以外の信号電送にビニル電線１０３を用いていた。
【０００４】
【発明が解決しようとする課題】
しかしながら、従来の信号ケーブルは、複合ケーブルの外径が８−９ｍｍのため、ケーブルの細線化が実現できず、かつ軽薄短小化に進む表示装置との組み合せに太すぎるという違和感を与える課題があった。
【０００５】
そこで、本発明の目的は、複合ケーブルを用いてケーブルの細線化を実現し、かつ軽薄短小な表示装置に違和感なく使用できる信号ケーブルを提供することにある。
【０００６】
【課題を解決するための手段】
上述の課題を解決するために、本発明の信号ケーブルは、複数の同軸電線と、フィルム状のベースに銅箔をプリントしたフレキシブルプリントケーブルと、このフレキシブルプリントケーブル及び上記同軸電線を覆うシールド編組線と、最外層に絶縁と保護のためのシースとを備え、前記複数の同軸電線とフレキシブルプリントケーブルとの相対的な位置関係を維持した複合ケーブルで構成されたことを特徴とする。
【０００７】
また、上述の課題を解決するために、本発明の信号ケーブルは、前記同軸電線を三つ備えると共に前記フレキシブルプリントケーブルを三つ備え、長手方向に交差する断面において、前記三つの同軸電線がΔ状に結ばれる位置に配置されると共に、この各辺に前記フレキシブルプリントケーブルが一つずつ配置されていることを特徴とする。
また、上述の課題を解決するために、本発明の信号ケーブルは、上記フレキシブルプリントケーブルの導体部を挟み込んでハンダ接合する溝が形成されたコンタクトと、このコンタクトを固定するインシュレータと、このインシュレータを覆うシェルとを有するプラグを前記長手方向の端部に備えることを特徴とする。
【０００８】
【発明の実施の形態】
次に、本発明の一実施の形態による信号ケーブルを図面を参照して説明する。
【０００９】
図１は、本発明の一実施の形態による信号ケーブルの構成図である。
【００１０】
図２は、本発明の一実施の形態による信号ケーブルの電線導体とプラグのコンタクトとの内部接合図である。
【００１１】
図３は、本発明の一実施の形態による信号ケーブルのプラグのコンタクトの断面図である。
【００１２】
本発明の一実施の形態による信号ケーブルは、図１〜図３に示すように、ビデオ信号を電送するスズメッキ軟銅線の導体２ａ，架橋発泡ポリエチレンの絶縁体２ｂ，静電シールドを行う横巻シールド線２ｃ，ビニルのシース２ｄからなる同軸電線２、水平同期信号や垂直同期信号などビデオ信号以外の信号を電送するプリント導体３ａ，絶縁フィルムを表面にラミネートしたサンドイッチ構造の絶縁体３ｂからなるフレキシブルプリントケーブル３、同軸電線２とフレキシブルプリントケーブル３を静電シールドするスズメッキ軟銅線のシールド編組線４及び、最外層に絶縁保護のための耐熱ビニルのシース５からなる複合ケーブル１と、銅合金のコンタクト７をＰＢＴ材のインシュレータ８で固定して軟銅のシェル９で覆われたプラグ６とで構成される。
【００１３】
また、プラグ６のコンタクト７は、フレキシブルプリントケーブル３のプリント導体３ａをハンダ接合する際に仮止めをする溝が先端のハンダ接合部に形成され、このコンタクト７により同軸電線２の導体２ａとフレキシブルプリントケーブル３のプリント導体３ａのどちらともハンダ接合が可能となる。
【００１４】
次に、本発明の一実施の形態による信号ケーブルの機構を図面を参照して説明する。
【００１５】
本発明の一実施の形態による信号ケーブルの機構は、図１〜図３に示すように、複数の同軸電線２の導体２ａをΔ状に結ぶ位置に置き、この各辺にフレキシブルプリントケーブル３を配置し、かつ複合ケーブル１製造の際、電線の配置を維持しながら回転を加えて螺旋状にすることで、フレキシブルプリントケーブル３の屈曲強度を増大する。
【００１６】
【発明の効果】
以上説明したように、本発明の信号ケーブルによれば、複合ケーブルの外径が６ｍｍ程度に縮小できるため、ケーブルの細線化が実現でき、かつ軽薄短小化に進む表示装置に違和感なく使用できる効果がある。
【図面の簡単な説明】
【図１】本発明の一実施の形態による信号ケーブルの構成図である。
【図２】本発明の一実施の形態による信号ケーブルの電線導体とプラグのコンタクトとの内部接合図である。
【図３】本発明の一実施の形態による信号ケーブルのプラグのコンタクトの断面図である。
【図４】従来の信号ケーブルの構成図である。
【図５】従来の信号ケーブルのケーブルとプラグのコンタクトとの接続図である。
【符号の説明】
１，１０１  複合ケーブル
２，１０２  同軸電線
３，１０３  フレキシブルプリントケーブル
４，１０４  シールド編組線
５，１０５  シース
６，１０６  プラグ
７，１０７  コンタクト
８，１０８  インシュレータ
９，１０９  シェル
【図１】
0004708520.tif 000002
【図２】
0004708520.tif 000003
【図３】
0004708520.tif 000004
【図４】
0004708520.tif 000005
【図５】
0004708520.tif 000006